(57)【要約】      （修正有）【課題】電気を用いることなく洗濯を可能にすることに加え、特に、多機能性及び利便性を高めるとともに、被洗濯物の絡み付きなどを回避し、円滑で効率のよい洗浄、更には良好な洗濯（洗浄）を可能にする。【解決手段】上端開口１１ｏの槽本体部１１及びこの槽本体部１１の上端開口１１ｏを開閉する蓋部１２により構成した洗濯槽部２と、被洗濯物を収容可能であって、少なくとも周部に多数の通孔を有し、かつ洗濯槽部２の内部に回動自在に配設した第二槽部１４を有する撹拌部と、蓋部１２を閉じた際に、第二槽部１４の周部に係止し、蓋部１２に設けたハンドル部４の回転を第二槽部１４に伝達する回転伝達部５を具備する。【選択図】図２
0003134709.tif 000002
【実用新案登録請求の範囲】
【請求項１】
少なくとも、被洗濯物及び洗浄液を収容可能な洗濯槽部と、この洗濯槽部の内部に配して洗浄液を撹拌可能な撹拌部と、手動で回転させるハンドル部及びこのハンドル部の回転を前記撹拌部に伝達する回転伝達部を有する回転操作部とを備える手動洗濯器において、上端開口の槽本体部及びこの槽本体部の上端開口を開閉する蓋部により構成した洗濯槽部と、前記被洗濯物を収容可能であって、少なくとも周部に多数の通孔を有し、かつ前記洗濯槽部の内部に回動自在に配設した第二槽部を有する撹拌部と、前記蓋部を閉じた際に、前記第二槽部の周部に係止し、前記蓋部に設けたハンドル部の回転を前記第二槽部に伝達する回転伝達部とを具備してなることを特徴とする手動洗濯器。
【請求項２】
前記第二槽部の周部は、金属製のネット材により円筒形に形成することを特徴とする請求項１記載の手動洗濯器。
【請求項３】
前記第二槽部は、内部に一又は二以上の撹拌突起部を有することを特徴とする請求項１又は２記載の手動洗濯器。
【請求項４】
前記洗濯槽部と前記第二槽部間には、前記第二槽部の底部の中心を回動自在に支持する回動支持部と、前記第二槽部の上部に当接して水平方向の位置を規制する複数の規制ローラ部を備えることを特徴とする請求項１，２又は３記載の手動洗濯器。
【請求項５】
前記洗濯槽部の上部及び／又は下部に洗浄液を給排するための一又は二以上の給排口を備えることを特徴とする請求項１記載の手動洗濯器。
【考案の詳細な説明】
【技術分野】
【０００１】
本考案は、ハンドル部の回転を洗濯槽部の内部に配した撹拌部に伝達することにより手動で洗濯を行うことができる手動洗濯器に関する。
【背景技術】
【０００２】
従来、少なくとも、被洗濯物及び洗浄液を収容可能な洗濯槽部と、この洗濯槽部の内部に配して洗浄液を撹拌可能な撹拌部と、手動で回転させるハンドル部及びこのハンドル部の回転を撹拌部に伝達する回転伝達部を有する回転操作部とを備える手動洗濯器は、実開平６−３８８８４号公報で知られている。
【０００３】
同公報で開示される手動式洗濯器は、ポリバケツの蓋の部分の内側へ２枚の回転板と回転軸を設け、蓋の外部にハンドルを付けたものであり、電気洗濯機を置けないオフィス、職場、電気が使えない場所（山小屋、船舶等）等で少量の洗濯物を手動により洗濯することができる。
【特許文献１】実開平６−３８８８４号
【考案の開示】
【考案が解決しようとする課題】
【０００４】
しかし、上述した従来の手動洗濯器は、次のような問題点があった。
【０００５】
第一に、基本的な構造は、ポリバケツに収容した洗浄液を撹拌する構成となるため、洗濯を行うことはできるものの、洗濯と密接に関連する濯ぎや脱水を洗濯後にそのままの状態で行うことができない。このため、濯ぎや脱水を行う場合には、別途の手段を講じる必要があり、機能性において十分とは言えないとともに、利便性にも劣る。
【０００６】
第二に、具体的な構造は、ポリバケツの中心に浸けた回転板（回転軸）を回す構成のため、洗濯物の絡み付きなどの発生原因となる障害物がポリバケツの内部中央に存在することになる。したがって、円滑で効率のよい洗浄を行うことができないとともに、良好な洗濯（洗浄）を行うことができない。
【０００７】
本考案は、このような背景技術に存在する課題を解決した手動洗濯器の提供を目的とするものである。
【課題を解決するための手段】
【０００８】
本考案は、上述した課題を解決するため、少なくとも、被洗濯物Ｃ及び洗浄液Ｗを収容可能な洗濯槽部２と、この洗濯槽部２の内部に配して洗浄液Ｗを撹拌可能な撹拌部３と、手動で回転させるハンドル部４及びこのハンドル部４の回転を撹拌部３に伝達する回転伝達部５を有する回転操作部６とを備える手動洗濯器１を構成するに際して、上端開口１１ｏの槽本体部１１及びこの槽本体部１１の上端開口１１ｏを開閉する蓋部１２により構成した洗濯槽部２と、被洗濯物Ｃを収容可能であって、少なくとも周部１４ｓに多数の通孔ｈ…を有し、かつ洗濯槽部２の内部に回動自在に配設した第二槽部１４を有する撹拌部３と、蓋部１２を閉じた際に、第二槽部１４の周部１４ｓに係止し、蓋部１２に設けたハンドル部４の回転を第二槽部１４に伝達する回転伝達部５を具備することを特徴とする。
【０００９】
この場合、考案の好適な態様により、第二槽部１４の周部１４ｓは、金属製のネット材により円筒形に形成できるとともに、第二槽部１４の内部には一又は二以上の撹拌突起部２１…を設けることができる。また、洗濯槽部２と第二槽部１４間には、第二槽部１４の底部の中心を回動自在に支持する回動支持部２２と、第二槽部１４の上部に当接して水平方向の位置を規制する複数の規制ローラ部２３…を設けることができるとともに、洗濯槽部２の上部及び／又は下部に洗浄液Ｗを給排するための一又は二以上の給排口２４，２５，２６を設けることができる。
【考案の効果】
【００１０】
このような構成を有する本考案に係る手動洗濯器１によれば、次のような顕著な効果を奏する。
【００１１】
（１）  被洗濯物Ｃを収容可能であって、周部１４ｓに多数の通孔ｈ…を有し、かつ洗濯槽部２の内部に回動自在に配設した第二槽部１４を有する撹拌部３と、蓋部１２を閉じた際に、第二槽部１４の周部１４ｓに係止し、蓋部１２に設けたハンドル部４の回転を第二槽部１４に伝達する回転伝達部５を具備するため、電気を用いることなく洗濯を行うことができる。したがって、二酸化炭素の排出削減効果や経済的効果を享受できる基本的効果に加え、特に、洗濯後に、濯ぎや脱水を別途の手段を講じることなくそのままの状態で行うことができるなど、多機能性及び利便性を高めることができる。
【００１２】
（２）  被洗濯物Ｃを収容可能であって、周部１４ｓに多数の通孔ｈ…を有し、かつ洗濯槽部２の内部に回動自在に配設した第二槽部１４を有する撹拌部３と、蓋部１２を閉じた際に、第二槽部１４の周部１４ｓに係止し、蓋部１２に設けたハンドル部４の回転を第二槽部１４に伝達する回転伝達部５を具備するため、第二槽部１４の内部中央に配する障害物を排除できる。したがって、被洗濯物Ｃの絡み付きなどを回避でき、円滑で効率のよい洗浄を行うことができるとともに、良好な洗濯（洗浄）を行うことができる。
【００１３】
（３）  好適な態様により、第二槽部１４の周部１４ｓを、金属製のネット材により円筒形に形成すれば、第二槽部１４を容易かつ低コストに実施できる。
【００１４】
（４）  好適な態様により、第二槽部１４の内部に一又は二以上の撹拌突起部２１…を設ければ、より効率的に水流（渦流）を発生させることができる。
【００１５】
（５）  好適な態様により、洗濯槽部２と第二槽部１４間に、第二槽部１４の底部の中心を回動自在に支持する回動支持部２２と、第二槽部１４の上部に当接して水平方向の位置を規制する複数の規制ローラ部２３…を設ければ、洗濯槽部２の内部で回動する第二槽部１４を安定かつ強固に支持することができる。
【００１６】
（６）  好適な態様により、洗濯槽部２の上部及び／又は下部に洗浄液Ｗを給排するための一又は二以上の給排口２４，２５，２６を設ければ、濯ぎ機能や脱水機能を確実に担保することができる。
【考案を実施するための最良の形態】
【００１７】
次に、本考案に係る最良の実施形態を挙げ、図面に基づき詳細に説明する。
【００１８】
まず、本実施形態に係る手動洗濯器１の構成について、図１〜図５を参照して具体的に説明する。
【００１９】
手動洗濯器１は洗濯槽部２を備える。洗濯槽部２は、上端開口１１ｏの槽本体部１１及びこの槽本体部１１の上端開口１１ｏをヒンジ部１３を介して開閉する蓋部１２により構成する。槽本体部１１は、底部を有する円筒状に形成し、被洗濯物Ｃ及び洗浄液Ｗをそれぞれ所定量だけ収容可能な大きさを選定する。そして、槽本体部１１の上部に、洗浄液Ｗを給排するための給排口２４，２５を位置を異ならせて設けるとともに、槽本体部１１の下部にも洗浄液Ｗを給排するための給排口２６を設ける。なお、２４ｃ，２５ｃ，２６ｃは各給排口２４，２５，２６の先端に着脱するキャップを示す。このように、洗濯槽部２の上部及び／又は下部に洗浄液Ｗを給排するための給排口２４，２５，２６を設ければ、濯ぎ機能や脱水機能を確実に担保することができる。また、蓋部１２の一側は回動式のヒンジ部１３を介して槽本体部１１の上端に結合する。これにより、蓋部１２は図２に示すように、ヒンジ部１３を支点に回動変位させることができ、図１に示す閉位置に回動変位さて槽本体部１１の上端開口１１ｏを閉塞できるとともに、図２に示すように、蓋部１２の他側を持ち上げて上端開口１１ｏを開放できる。
【００２０】
一方、洗濯槽部２には、手動で回転させるハンドル部４及びこのハンドル部４の回転を後述する撹拌部３に伝達する回転伝達部５を有する回転操作部６を付設する。この場合、蓋部１２の中心に回転軸３１を取付け、この回転軸３１の外端（上端）にハンドル部４を構成するレバー部３２の一端を固定するとともに、レバー部３２を水平方向に延出し、この他端にグリップ３３を取付ける。このグリップ３３は、図２に示すように折り畳むことができる。
【００２１】
また、回転伝達部５は、蓋部１２の内面に配した伝達機構部３５を有する。伝達機構部３５は、回転軸３１の内端（下端）に固定した伝達ギア３７と、蓋部１２の内面に設けた支持リング３８により回動自在に保持された回転盤３９と、この回転盤３９の上面に一体に設けたリング形の被伝達ギア４０と、この被伝達ギア４０と伝達ギア３７間に噛合し、蓋部１２の内面に回動自在に支持された中間伝達ギア４１と、回転盤３９の下面に一体に設け、かつ周方向に沿って一定間隔おきに配した複数の係合凸部４２ｓ…を有する。
【００２２】
他方、洗濯槽部２の内部、即ち、槽本体部１１の内部には、撹拌部３を配設する。撹拌部３は、被洗濯物Ｃを収容可能に構成し、かつ内部に撹拌突起部２１…を有するとともに、少なくとも周部１４ｓに多数の通孔ｈ…を有する第二槽部１４を備え、この第二槽部１４を洗濯槽部２の内部に回動自在に配設する。第二槽部１４は、金属製のネット材により円筒形に形成した周部１４ｓと、この周部１４ｓの下端に取付けた円形の下端盤４５と、周部１４ｓの上部に設けた偏平な筒形に形成し、規制ローラ部２３…が当接するガイドリング４６を備える。そして、下端盤４５の中心を槽本体部１１の底部の中心に設けた回動支持部２２により回動自在に支持するとともに、下端盤４５の上面には、四つの撹拌突起部２１…を設ける。このように、第二槽部１４の周部１４ｓを、金属製のネット材により円筒形に形成すれば、第二槽部１４を容易かつ低コストに実施できる利点がある。
【００２３】
さらに、槽本体部１１と第二槽部１４間には、第二槽部１４の底部の中心を回動自在に支持する回動支持部２２と、第二槽部１４の上部に当接して水平方向の位置を規制する三つの規制ローラ部２３…を備える。このように、洗濯槽部２と第二槽部１４間に、第二槽部１４の底部の中心を回動自在に支持する回動支持部２２と、第二槽部１４の上部に当接して水平方向の位置を規制する複数の規制ローラ部２３…を設ければ、洗濯槽部２の内部で回動する第二槽部１４を安定かつ強固に支持できる。
【００２４】
また、第二槽部１４には被伝達部３６を設ける。被伝達部３６は、第二槽部１４の上端縁に一体に設け、かつ周方向に沿って一定間隔おきに配した複数の係合凹部４３ｓ…を備え、図１に示すように、蓋部１２を閉じた際には、前述した係合凸部４２ｓ…に噛合する。即ち、係合凹部４３ｓ…と係合凸部４２ｓ…が交互に係止することにより回転伝達可能となる。したがって、蓋部１２の内面に配した伝達機構部３５と第二槽部１４の上端に配した被伝達部３６が回転伝達部５を構成する。
【００２５】
次に、本実施形態に係る手動洗濯器１の使用方法及び動作について、図６〜図８を参照して説明する。
【００２６】
まず、洗濯を行う場合について説明する。洗濯する際には、蓋１２を開き、第二槽部１４の内部に、一又は二以上の被洗濯物Ｃを収容するとともに、洗浄液Ｗを収容する。この場合、洗浄液Ｗには、水道水や河川水を含むとともに、必要な洗剤を溶かした場合を含む。洗浄液Ｗを収容する方法としては、例えば、水道蛇口に接続したホースを給排口２４に差し込んで給水してよいし、河川等からバケツで汲んできた河川水を第二槽部１４の上端開口から注入してもよい。以上の準備が終了したなら蓋１２を閉じる。蓋１２を閉じれば、蓋１２側の係合凸部４２ｓ…は第二槽部１４側の係合凹部４３ｓ…に噛合する。この状態を図６に示す。
【００２７】
そして、使用者は、グリップ３３を手で持ち、ハンドル部４を手動で回転させることにより洗濯を行うことができる。この場合、ハンドル部４を手動で回転させるため、回転させる速度や左右の回転方向は任意となり、例えば、被洗濯物Ｃの汚れ度合等を考慮して任意に対応することができる。また、ハンドル部４の回転は、回転軸３１を介して、伝達ギア３７，中間伝達ギア４１，被伝達ギア４０，回転盤３９，係合凸部４２ｓ…に経路で伝達されるとともに、さらに、係合凸部４２ｓ…を介して係合凹部４３ｓ…に伝達される。これにより、第二槽部１４が回動支持部２２を支点に回転する。第二槽部１４の回転により槽本体部１１の内部では水流（渦流）が発生し、洗濯が行われる。この際、第二槽部１４の内部に設けた撹拌突起部２１…により、より効率的に水流（渦流）を発生させることができる。
【００２８】
一方、洗濯が終了したなら濯ぎを行う。この場合、図７に示すように、給排口２４にホースを接続して水道水Ｗを供給するとともに、給排口２５のキャップ２５ｃを取り、ホースを接続する。そして、この状態でハンドル部４を回転させれば、新しい水道水Ｗが供給され、同時に濯ぎ後の洗浄液（水道水）Ｗが給排口２５から外部に排出される濯ぎが行われる。
【００２９】
他方、濯ぎが終了したなら脱水を行う。この場合、図８に示すように、給排口２６のキャップ２６ｃを取り、槽本体部１１に収容された濯ぎ後の洗浄液（水道水）Ｗを給排口２６から外部に排出する。また、給排口２４，２５にキャップ２４ｃ，２５ｃをそれぞれ装着する。そして、この状態でハンドル部４を回転させれば、遠心分離による脱水が行われ、脱水された水道水Ｗは、第二槽部１４の通孔ｈ…を通して槽本体部１１内に飛ばされるとともに、さらに、給排口２５から外部に排出される脱水が行われる。
【００３０】
よって、このような本実施形態に係る手動洗濯器１によれば、被洗濯物Ｃを収容可能であって、周部１４ｓに多数の通孔ｈ…を有し、かつ洗濯槽部２の内部に回動自在に配設した第二槽部１４を有する撹拌部３と、蓋部１２を閉じた際に、第二槽部１４の周部１４ｓに係止し、蓋部１２に設けたハンドル部４の回転を第二槽部１４に伝達する回転伝達部５を具備するため、電気を用いることなく洗濯を行うことができる。したがって、二酸化炭素の排出削減効果や経済的効果を享受できる基本的効果に加え、特に、洗濯後に、濯ぎや脱水を別途の手段を講じることなくそのままの状態で行うことができるなど、多機能性及び利便性を高めることができる。また、被洗濯物Ｃを収容可能であって、周部１４ｓに多数の通孔ｈ…を有し、かつ洗濯槽部２の内部に回動自在に配設した第二槽部１４を有する撹拌部３と、蓋部１２を閉じた際に、第二槽部１４の周部１４ｓに係止し、蓋部１２に設けたハンドル部４の回転を第二槽部１４に伝達する回転伝達部５を具備するため、第二槽部１４の内部中央に配する障害物を排除できる。したがって、被洗濯物Ｃの絡み付きなどを回避でき、円滑で効率のよい洗浄を行うことができるとともに、良好な洗濯（洗浄）を行うことができる。
【００３１】
以上、最良の実施形態について詳細に説明したが、本考案は、このような実施形態に限定されるものではなく、細部の構成，形状，素材，数量等において、本考案の要旨を逸脱しない範囲で、任意に変更，追加，削除することができる。
【００３２】
例えば、洗濯槽部２は、槽本体部１１の上端にヒンジ部１３を介して蓋部１２を取付けた構成を例示したが、ヒンジ部１３を用いない開閉形態であってもよい。また、第二槽部１４の周部１４ｓを金属製のネット材により円筒形に形成した場合を例示したが、プレート材に多数の小孔を形成した形態であってもよい。なお、第二槽部１４の内部に設けた撹拌突起部２１…は、必ずしも設けることを要しない。本考案に係る手動洗濯器１は、水はあるものの電気のないあらゆる場所で利用することができる。
【図面の簡単な説明】
【００３３】
【図１】本考案の最良の実施形態に係る手動洗濯器の一部断面正面図、
【図２】同手動洗濯器の蓋部を開いた状態における同手動洗濯器の一部を示す断面正面図、
【図３】同手動洗濯器における回転操作部を明示する断面平面図、
【図４】同手動洗濯器における槽本体部の内部を明示する断面平面図、
【図５】同手動洗濯器における回転操作部を明示する断面正面図、
【図６】同手動洗濯器の洗濯時の動作を説明するための模式図、
【図７】同手動洗濯器の濯ぎ時の動作を説明するための模式図、
【図８】同手動洗濯器の脱水時の動作を説明するための模式図、
【符号の説明】
【００３４】
１：手動洗濯器，２：洗濯槽部，３：撹拌部，４：ハンドル部，５：回転伝達部，６：回転操作部，１１：槽本体部，１１ｏ：上端開口，１２：蓋部，１４：第二槽部，１４ｓ：周部，２１…：撹拌突起部，２２：回動支持部，２３…規制ローラ部，２４：給排口，２５：給排口，２６：給排口，Ｃ：被洗濯物，Ｗ：洗浄液，ｈ…：通孔
【図１】
0003134709.tif 000003
【図２】
0003134709.tif 000004
【図３】
0003134709.tif 000005
【図４】
0003134709.tif 000006
【図５】
0003134709.tif 000007
【図６】
0003134709.tif 000008
【図７】
0003134709.tif 000009
【図８】
0003134709.tif 000010